(57)【特許請求の範囲】
【請求項１】
タッチパネルと、
前記タッチパネルを振動させる振動部と、
前記タッチパネルを支持する支持部材と、
前記支持部材に接続されるとともに、前記タッチパネルに接触し、前記タッチパネルに応動する弁と、
を備えた電子機器であって、
前記支持部材に通気孔が設けられ、
前記通気孔に防塵フィルタが設けられ、
前記通気孔および前記防塵フィルタを介して前記電子機器内部に流入した空気が、前記弁が開弁することにより前記電子機器外部に流出するようにしたことを特徴とする電子機器。
【請求項２】
前記振動部は前記タッチパネルに接着された圧電素子であり、
前記弁は、前記支持部材の縁辺部分のうち前記圧電素子の伸縮方向と平行な方向の縁辺部分に接続されている、
ことを特徴とする請求項１に記載の電子機器。
【請求項３】
前記通気孔は、前記タッチパネルのタッチ面の水平位置よりも高い位置に設けられている、
ことを特徴とする請求項１または２に記載の電子機器。
【発明の詳細な説明】
【技術分野】
【０００１】
本発明は、電子機器に関するものである。より詳細には、本発明は、タッチパネルに対する操作入力を検出して、操作感をフィードバックする電子機器に関するものである。
【背景技術】
【０００２】
現在、電子機器の入力装置として、タッチパネルやタッチパッドなどが広く採用されている。そのような入力装置において、操作者がタッチパネルやタッチパッドなどを操作した際に、タッチパネルやタッチパッドを湾曲振動させることにより、操作者の指先などに操作感をフィードバックするものが提案されている（例えば、特許文献１参照）。
【０００３】
図７は、特許文献１に記載の電子機器を分解した外観斜視図である。図７に示すように、特許文献１に記載の電子機器（ディスプレイ装置）は、ディスプレイモニタ１００、パネル固定用フレーム２１０、タッチパネル４００、およびカバー５００を備えている。この電子機器は、タッチパネル４００等の各部品が、上記ディスプレイモニタ１００に対して組付けられることにより構成されている。
【０００４】
特許文献１に記載の電子機器において、ディスプレイモニタ１００は、液晶ディスプレイ（ＬＣＤ）からなり、全体が矩形かつ扁平な形状を有している。ディスプレイモニタ１００は、図示しない制御装置による制御に従って、例えばキーやボタン等のオブジェクトまたは各種の情報などを、その表示面に表示する。このディスプレイモニタ１００の表示面上には、当該モニタ１００とほぼ同じ大きさのタッチパネル４００が位置するように組付けられる。
【０００５】
タッチパネル４００は、例えば透明な樹脂板にマトリクス状のスイッチ回路が形成され、パネル表面が操作者の指先などにより接触されると、その接触位置に応じた検出信号を前記制御装置に出力するように構成されている。つまり、操作者は、タッチパネル４００を通して映し出されるディスプレイモニタ１００の表示に従って当該パネル４００に対して操作を行うことにより、前記電子機器に対して当該表示に応じた各種情報を入力することができる。
【０００６】
この電子機器においては、図７に示すように、タッチパネル４００の裏面側の上辺（図の奥側）および下辺（図の手前側）に沿って、一対の圧電素子（ピエゾ素子）４２０が貼り付けられている。タッチパネル４００が操作者による接触を検出すると、この電子機器は、前記制御装置から圧電素子４２０に駆動信号（電圧）を付与する。この駆動信号を受信すると、圧電素子４２０は伸縮してタッチパネル４００を変形（湾曲）させるため、この電子機器は、タッチパネル４００の操作面に対して振動を発生させることができる。すなわち、上記操作に伴って、タッチパネル４００が振動することにより、操作者は操作感を得ることができるようになっている。
【０００７】
なお、この電子機器において、タッチパネル４００は、パネル固定用フレーム２１０を介して前記ディスプレイモニタ１００に組付けられている。パネル固定用フレーム２１０は、ＡＢＳ等の硬質の樹脂材料から形成されることにより全体が剛性を有した構成となっている。
【０００８】
図７に示すように、パネル固定用フレーム２１０には、前記タッチパネル４００をその四隅において保持するホルダ２２０が組付けられる。図８は、４つのホルダ２２０のうち１つが、タッチパネル４００の隅に取り付けられる様子を示す拡大図である。各ホルダ２２０には、タッチパネル４００の角部を差込み可能なスリット状の差込み部３６０がそれぞれ形成されている。また、図７に示すように、パネル固定用フレーム２１０の周囲側面には、各側面それぞれの端部付近に、ホルダ２２０を固定するための固定孔３２０が設けられている。そして、図８に示すホルダ２２０に形成されたフック３４０ａが、図７に示す各固定孔３２０に差し込まれることにより、各ホルダ２２０は、タッチパネル４００をパネル固定用フレーム２１０に固定する。
【０００９】
このように、各ホルダ２２０にタッチパネル４００の四隅がそれぞれ差込まれると、各ホルダ２２０は、タッチパネル４００を四隅で外側から拘束するとともに、厚み方向の両側からも拘束した状態で保持する。したがって、特許文献１に記載の電子機器は、タッチパネル４００が固定されるように配置することができる。
【００１０】
また、ホルダ２２０は、それぞれ、パネル固定用フレーム２１０よりも弾性係数の小さい材料から形成されており、例えばシリコーン系の樹脂またはゴムにより一体成型されている。このように、ホルダ２２０は、タッチパネル４００を安定的に保持する一方で、タッチパネル４００が振動できるように弾性変形可能に構成されている。なお、タッチパネル４００とディスプレイモニタ１００との間には、タッチパネル４００の厚み方向の変位を可能とする隙間が確保される。このため、圧電素子４２０が振動する際に、当該振動に伴うタッチパネル４００の厚み方向の変位が可能となっている。
【００１１】
したがって、特許文献１に記載の電子機器は、タッチパネル４００を振動させる際に、その振動を大きく妨げることがないようになっているため、タッチパネル４００の振動による操作感を良好に確保することができる。
【先行技術文献】
【特許文献】
【００１２】
【特許文献１】特開２０１０−４４４９７号公報
【発明の概要】
【発明が解決しようとする課題】
【００１３】
上述したように、特許文献１に記載の電子機器は、タッチパネルの振動による操作感を良好に確保することができるとともに、タッチパネルが固定されるように配置することができる。
【００１４】
ところで、特許文献１に記載の電子機器は、例えば車載用ナビゲーションシステムのディスプレイ装置などを想定しており、電子機器そのものの防塵対策は特に施されていない。例えば、図７に示す電子機器を組み立てると、タッチパネル４００は、弾性材料のホルダ２２０の差込み部３６０に差し込まれた状態で、つまりホルダ２２０を介して、パネル固定用フレーム２１０に取り付けられる。これは、タッチパネル４００をパネル固定用フレーム２１０に強固に固定してしまうと、圧電素子４２０が振動する際に、タッチパネル４００が厚み方向に変位せず、タッチパネル４００を良好に振動させることができなくなるためである。したがって、タッチパネル４００とパネル固定用フレーム２１０との間には、隙間ができることになり、当該隙間から埃が浸入することが多分に想定される。
【００１５】
そこで、特許文献１に記載の電子機器において、防塵対策として、例えば、タッチパネル４００とパネル固定用フレーム２１０との間に防塵用クッションなどの部材を挿入することも考えられる。しかしながら、このような防塵用クッションは、ある程度圧縮可能な材質を用いたとしても、圧縮後の厚さのぶんだけタッチパネルが湾曲する物理的なスペースを奪ってしまうことになる。したがって、このような構造においては、タッチパネルが振動する際の振幅を稼ぐことができないという問題が生じる。
【００１６】
かかる事情に鑑みてなされた本発明の目的は、圧電素子などによりタッチパネルを湾曲振動させる電子機器において、振動を可能な限り減衰させずに防塵対策を施した電子機器を提供することにある。
【課題を解決するための手段】
【００１７】
上記目的を達成する第１の観点に係る電子機器の発明は、
タッチパネルと、
前記タッチパネルを振動させる振動部と、
前記タッチパネルを支持する支持部材と、
前記支持部材に接続されるとともに、前記タッチパネルに接触し、前記タッチパネルに応動する弁と、
を備えた電子機器であって、
前記支持部材に通気孔が設けられ、
前記通気孔に防塵フィルタが設けられ、
前記通気孔および前記防塵フィルタを介して前記電子機器内部に流入した空気が、前記弁が開弁することにより前記電子機器外部に流出するようにしたものである。
【００１８】
第２の観点に係る発明は、第１の観点に係る電子機器において、
前記振動部は前記タッチパネルに接着された圧電素子であり、
前記弁は、前記支持部材の縁辺部分のうち前記圧電素子の伸縮方向と平行な方向の縁辺部分に接続されているものである。
【００１９】
第３の観点に係る発明は、第１または第２の観点に係る電子機器において、
前記通気孔は、前記タッチパネルのタッチ面の水平位置よりも高い位置に設けられているものである。
【発明の効果】
【００２０】
本発明によれば、圧電素子などによりタッチパネルを湾曲振動させる電子機器において、振動を可能な限り減衰させずに防塵対策を施した電子機器を提供することができる。
【図面の簡単な説明】
【００２１】
【図１】本発明の実施の形態に係る電子機器の外観斜視図である。
【図２】本発明の実施の形態に係る電子機器を分解した外観斜視図である。
【図３】本発明の実施の形態に係る電子機器をさらに分解した外観斜視図である。
【図４】図１に示す電子機器のＡ−Ａ端面図である。
【図５】図１に示す電子機器のＢ−Ｂ端面図である。
【図６】その他の実施の形態に係る電子機器の弁を説明する図である。
【図７】従来の電子機器の構造を説明する図である。
【図８】従来の電子機器の構造を説明する他の図である。
【発明を実施するための形態】
【００２２】
以下、本発明の実施の形態について、図面を参照して説明する。まず、本発明の実施の形態に係る電子機器の概略構成について説明する。
【００２３】
図１は、本発明の実施の形態に係る電子機器の外観を示す斜視図である。図１に示すように、電子機器１は、外観上、ベゼル１０ａと、上部筐体１０ｂと、下部筐体１０ｃと、タッチパネル２０と、弁３０と、を備えている。
【００２４】
ベゼル１０ａと上部筐体１０ｂと下部筐体１０ｃとは、三者が一体に組み合わさることにより、筐体１０を構成する。なお、本明細書においては、ベゼル１０ａと上部筐体１０ｂとが「支持部材」を構成する。ベゼル１０ａと上部筐体１０ｂとは、側面に設けられた通気孔１１を除いた部分において接着剤等で接着されている。また、上部筐体１０ｂと下部筐体１０ｃとの間は、これらが一体に組み合わされた状態においては、例えばゴム製のパッキンを介した密閉構造にする等して、適当な防水および防塵の措置がなされているものとする。上部筐体１０ｂおよび下部筐体１０ｃは、例えば樹脂製のケースなどとして、ある程度の衝撃に耐えうる素材により構成するのが好適である。なお、以下の説明においては、上部筐体１０ｂと下部筐体１０ｃとの組み合わせ構造については、詳細な説明を省略する。
【００２５】
タッチパネル２０は、通常は表示部（図示せず）の前面に配置して、表示部に表示したオブジェクトに対する操作者の指やスタイラスペン等（以下、単に「接触物」と総称する）による接触を、対応するタッチパネル２０のタッチ面において検出する。したがって、本実施の形態において、「タッチパネル」とは、例えばＬＣＤ等とすることができる表示部の前面に配置する、すなわち当該表示部とは別に設けられる部材を想定して説明する。また、タッチパネル２０は、タッチ面に対する接触物の接触の位置を検出し、当該検出した接触の位置を制御部（図示せず）に通知する。
【００２６】
このタッチパネル２０は、例えば抵抗膜方式、静電容量方式、光学式等の公知の方式のもので構成されたタッチパネルを用いることができる。なお、タッチパネル２０が接触物による接触を検出する上で、接触物がタッチパネル２０に物理的に触れることは必須ではない。例えば、タッチパネル２０が光学式である場合は、タッチパネル２０は当該タッチパネル２０上の赤外線が接触物で遮られた位置を検出するため、接触物がタッチパネル２０に触れることは不要である。
【００２７】
上述した表示部は、例えばキーのような押しボタンスイッチ（プッシュ式ボタンスイッチ）等のオブジェクトを画像で表示する。このオブジェクトは、タッチパネル２０のタッチ面上において接触すべき領域を操作者に示唆する画像である。また、押しボタンスイッチとは、操作者が入力の操作に用いるボタンやキー等（以下、単に「キー等」と総称する）である。この表示部は、例えば、液晶表示パネル（ＬＣＤ）や有機ＥＬ表示パネル等を用いて構成する。すなわち、図１に示すタッチパネル２０の裏側には、図示しないが、ＬＣＤなどの表示部を配置することができる。しかしながら、本明細書においては、表示関連の事項については、詳細な説明を省略する。
【００２８】
ベゼル１０ａは、上部筐体１０ｂに例えば接着剤を介して接着されている。また、ベゼル１０ａは、タッチパネル２０の縁辺部分を覆い、タッチパネル２０を外部から視認可能な開口部を有する額縁状である。ベゼル１０ａの開口部はタッチパネル２０の外形より小さいため、タッチパネル２０が電子機器１から脱落することはない。ベゼル１０ａは、例えば金属製、樹脂製とすることができる。
【００２９】
弁３０は、ベゼル１０ａの開口部のＸ方向の縁辺部分にわたって配置されている。弁３０は、長手方向の一辺が、ベゼル１０ａの裏側に、接着テープ等により接続され、長手方向の他辺が、タッチパネル２０に接触している。弁３０は、タッチパネル２０の振動を妨げないように、タッチパネル２０に応動する。弁３０は、例えば金属製、樹脂製とすることができる。
【００３０】
図２は、図１に示した電子機器１において、上部筐体１０ｂからベゼル１０ａを取り外した状態を示す分解斜視図である。なお、以下の説明においては、下部筐体１０ｃは取り外した状態の電子機器１について説明する。
【００３１】
図２に示すように、ベゼル１０ａと上部筐体１０ｂとの接合部分に設けられた通気孔１１（直径１ｍｍ〜１０ｍｍ程度）の電子機器１内部に、通気孔１１を覆う大きさを有する防塵フィルタ４０が配置されている。防塵フィルタ４０は空気を透過するが、塵を透過しない目開きを有する。防塵フィルタ４０は、例えば金属製、樹脂製とすることができる。
【００３２】
上部筐体１０ｂの内部にタッチパネル２０が嵌め込まれている。このタッチパネル２０のＹ方向の縁辺部分にわたって、タッチパネル２０上に封止部材５０が配置されている。封止部材５０は、シリコーンゴムなどの弾性材料製であり、例えばＪＩＳ−Ａ硬度４０〜６０度程度とするのが好適である。
【００３３】
図３は、図２に示した上部筐体１０ｂからタッチパネル２０、防塵フィルタ４０および封止部材５０を取り外した状態を示す分解斜視図である。上部筐体１０ｂには、Ｙ方向の側面に、内部に突出する支持部１２が形成され、この支持部１２によってタッチパネル２０が支持されている。
【００３４】
タッチパネル２０の裏面には、そのＸ方向の縁辺付近に、振動部６０が接着されている。振動部６０は、タッチパネル２０の裏面に例えば両面テープまたは接着剤などにより接着されている。この振動部６０は、例えば圧電素子で構成し、タッチパネル２０を振動させる。また、このように振動部６０がタッチパネル２０に接着された圧電素子とする場合、弁３０は、圧電素子の長手方向（伸縮方向）と略平行な方向に配置されているようにするとともに、封止部材５０は、圧電素子の長手方向（伸縮方向）と略直交する方向に配置されているようにする。
【００３５】
圧電素子は、電圧を印加すると、その長手方向に伸縮するため、タッチパネル２０は、圧電素子の長手方向に平行な方向に湾曲することになる。それゆえ、封止部材５０を、圧電素子の長手方向に平行な方向に配置すると、封止部材５０は弾性体であるため、多少の動きは許容するものの、タッチパネル２０の湾曲を制限してしまう。そこで、弁３０を、圧電素子の長手方向に平行な方向に配置すると、弁３０はタッチパネル２０の湾曲に応じて動くので、タッチパネル２０の湾曲を制限せず、タッチパネル２０の振動を減殺することにならない。なお、タッチパネル２０は、圧電素子の長手方向に直交する方向には湾曲しないので、この方向に封止部材５０を配置することにより、タッチパネル２０の湾曲を制限せずに、防塵機能を果たすことができる。
【００３６】
この振動部６０は、所定の振動パターンによる振動を発生させることにより、タッチ面に接触している接触物に対して触感を呈示する。本実施の形態において、振動部６０は、例えば図示しない制御部から供給される駆動信号に基づいて振動を発生する。
【００３７】
次に、本発明の実施の形態に係る電子機器の内部構成の詳細について、図４〜図６を用いて説明する。なお、図４〜図６では、電子機器１の上部筐体１０ｂ以上の部分の端面を示している（すなわち下部筐体１０ｃは図示を省略している）。なお、以下、振動部６０は、圧電素子で構成されたものとして説明する。
【００３８】
図４は、図１のＡ−Ａ線に沿った電子機器１の端面を示す図である。図４（ａ）は、タッチパネル２０が振動していない状態を示す図である。上部筐体１０ｂのＹ方向に平行な側面には、電子機器１の内部に突出する支持部１２が形成され、この支持部１２によってタッチパネル２０が支持されている。タッチパネル２０の辺縁部分には、タッチパネル２０とベゼル１０ａとの間に封止部材５０が配置されている。封止部材５０は、図中上側がベゼル１０ａと密着され、図中下側がタッチパネル２０と密着されることにより、防塵機能を発揮している。
【００３９】
図４（ｂ）、（ｃ）は、タッチパネル２０が振動して湾曲している状態を示す図である。すなわち、タッチパネル２０は、図４（ｂ）に示す上側の湾曲と図４（ｃ）に示す下側の湾曲とを繰り返すことにより振動する。上述したとおり、圧電素子は、その長手方向に伸縮するため、タッチパネル２０は、圧電素子の長手方向に平行な方向に湾曲することになる。それゆえ、封止部材５０が配置されている方向のタッチパネル２０の縁辺部分はわずかにしか変位せず、タッチパネル２０の中央部分が大きく変位する。封止部材５０は、上述したように弾性材料製であるため、タッチパネル２０のわずかな変位に応じて圧縮変形するので、タッチパネル２０の振動を妨げることはない。
【００４０】
図５は、図１のＢ−Ｂ線に沿った電子機器１の端面を示す図である。図５（ａ）は、タッチパネル２０が振動していない状態を示す図である。上部筐体１０ｂとベゼル１０ａとの間に通気孔１１が設けられ、この通気孔１１を覆うように電子機器１の内部に防塵フィルタ４０が設けられている。弁３０は、その一端（一辺）が、例えば接着テープ３１を介してベゼル１０ａに接続されている。接着テープ３１は、弁３０の動きを妨げないため、軟らかい材料製である必要がある。また、弁３０は、その他端（他辺）が、タッチパネル２０に接触している。
【００４１】
図５（ｂ）は、タッチパネル２０が振動して上側に湾曲している状態を示す図である。タッチパネル２０は、圧電素子の長手方向に平行な方向に湾曲し、タッチパネル２０のＸ方向の中央部分は、電子機器１の内部で上方に変位する。すると、弁３０は、タッチパネル２０に対する傾斜角度を小さくしながら、タッチパネル２０への接触を維持する。すなわち、弁３０の先端は、タッチパネル２０の表面に対して摺動する。弁３０は、タッチパネル２０の動きを妨げることなく、タッチパネル２０に応動するように、摩擦係数の小さい材料製である必要がある。なお、弁３０をベゼル１０ａに接続する機構は、接着テープ３１に限定されることはなく、任意のものとすることができる。但し、当該接続機構は、弁３０の角度を保つようにする必要がある。
【００４２】
図５（ｃ）は、通気孔１１および防塵フィルタ４０を介して電子機器１内部に流入した空気（図中矢印で示す）が、弁３０が開弁することにより電子機器１外部に流出している状態を示す図である。なお、電子機器１内部に流入した空気は、防塵フィルタ４０を通過することにより、塵が除去されている。タッチパネル２０が振動していないときでも、通気孔１１および防塵フィルタ４０を介して電子機器１内部に空気が流入すると、風圧によって弁３０が開弁して、弁３０とタッチパネル２０との間の間隙から空気が流出する。弁３０は、風圧によって開弁可能となるように、軽量な材料製である必要がある。
【００４３】
また、通気孔１１および防塵フィルタ４０を介して電子機器１内部に流入した空気が、タッチパネル２０より下方に流入せず、弁３０を介して電子機器１外部に流出するように、通気孔１１および防塵フィルタ４０は、タッチパネル２０のタッチ面の水平位置よりも高い位置に設けられていることが好適である。通気孔１１および防塵フィルタ４０は、弁３０に近い位置に設けるほど好適であり、本実施の形態のように、ベゼル１０ａと上部筐体１０ｂとの間である側面ではなく、ベゼル１０ａの上面（タッチパネル２０のタッチ面と平行な面）に設けることもできる。また、通気孔１１の形状、大きさおよび数等は、電子機器１の大きさに応じて適宜変更することができる。さらにまた、防塵フィルタ４０は、通気孔１１内部に設けてもよい。
【００４４】
本実施の形態では、弁３０を設けてタッチパネル２０に応動させることにより、タッチパネル２０の振動の減衰を最小限に抑制し、また、通気孔１１、防塵フィルタ４０を設けて弁３０を開くことにより、防塵機能を発揮している。また、電子機器１の内部を密封していないので、タッチパネル２０の振動により電子機器１の内圧が変化して電子機器１内部の種々の電子部品などの動作に影響を与えることはない。
【００４５】
弁３０は、上述した実施の形態に限定されず、様々な形態を有することができる。図１のＢ−Ｂ線に沿った電子機器の端面図に対応する図６を参照して、その他の実施の形態に係る弁３０を説明する。図６（ａ）は、タッチパネル２０が振動していない状態を示す図である。弁３０は、その一端（一辺）が、例えば接着テープ３１を介してベゼル１０ａに接続され、他端（他辺）が、屈曲しながらタッチパネル２０に接触している。
【００４６】
図６（ｂ）は、タッチパネル２０が振動して上側に湾曲している状態を示す図である。タッチパネル２０のＸ方向の中央部分は、電子機器１の内部で上方に変位する。すると、弁３０は、変形して、タッチパネル２０との接触面積を増加させる。なお、このとき、タッチパネル２０のＸ方向の辺縁部分では、タッチパネル２０は変位しないので、弁３０は図６（ａ）の状態のまま、タッチパネル２０に接触している。本実施の形態では、弁３０は、シリコーンゴムなどの弾性材料製であり、弁３０自体が変形して、タッチパネル２０の湾曲に応動するので、弁３０とタッチパネル２０との間に間隙が生じない。それゆえ、本実施の形態では、タッチパネル２０の振動の減衰を最小限に抑制するとともに、より高い防塵効果を発揮することができる。
【００４７】
本明細書においては、ベゼル１０ａと上部筐体１０ｂとからなる支持部材は、ディスプレイなどの表示部や基板などを含まないものとして説明した。しかしながら、本発明において、「支持部材」はベゼル１０ａと上部筐体１０ｂとからなるものに限定されず、例えば、下部筐体１０ｃ、上述した表示部の保持部材や各種の基板など、種々の部材を含めたものとすることもできる。例えば、タッチパネル２０が、ポリマーシートなどの弾性部材を介して支持部材に配置されるような構成においては、当該支持部材は、表示部や基板などを含めたものとして構成するのが好適である。
【００４８】
なお、本発明は、上記実施の形態にのみ限定されるものではなく、幾多の変形または変更が可能である。例えば、上述した実施の形態では、ベゼル１０ａと上部筐体１０ｂとを別体として構成したが、一体成型した部材として構成することもできる。また、弁３０は、外部から視認できないように、ベゼル１０ａの裏側の奥（防塵フィルタ４０に近い位置）に接続されていてもよく、また、ベゼル１０ａの開口端に接続されていてもよい。
【００４９】
本発明は、タッチパネル２０および弁３０を中心に特徴を有するものであり、その他の構成要素については、本明細書において説明した以外にも、種々の構成を採用することができる。例えば、上述した各実施の形態では、上部筐体１０ｂおよび下部筐体１０ｃは、電子機器の本体を構成する筐体を想定して説明した。しかしながら、本発明の筐体は上述した部材に限定されるものではなく、種々の部材とすることができる。例えば、タッチパネル２０を支持する部材として、筐体をＬＣＤや各種基板などとすることもできる。
【００５０】
また、上述した各実施の形態においては、タッチパネル２０の裏側に配置した表示部（図示せず）にオブジェクトを表示してタッチパネル２０が操作者の接触を検出する態様について説明した。しかしながら、本発明はこのような態様に限定されるものではなく、例えば表示部３０を有さずに、タッチパネル２０のタッチ面上にオブジェクトがインクなどにより直接印刷されているような態様を想定することもできる。
【００５１】
また、上記実施の形態では、タッチパネル２０を用いて、当該タッチパネル２０のタッチ面に対する接触を検出した。しかしながら、タッチパネル２０に対する押圧の荷重を検出して、所定の押圧荷重の基準が満たされた場合に、タッチパネル２０に対する接触がなされたものと判定することもできる。このような荷重の検出を行う場合、任意の個数の歪みゲージセンサ等をタッチパネル２０に設けて、押圧によるタッチパネル２０の歪みを検出することにより、当該歪みからタッチパネル２０対する押圧の荷重を算出するなどの構成を想定することができる。
【００５２】
このような荷重の検出は、タッチパネル２０における接触検出方式に応じて各種の構成を想定することができる。例えば、抵抗膜方式の場合には、接触面積による抵抗変化に基づく出力信号の変化から荷重が検出できれば、歪みゲージセンサを用いることなく構成することができる。あるいは、静電容量方式の場合には、静電容量の変化に基づく出力信号の変化から荷重が検出できる場合も、歪みゲージセンサを用いることなく構成することができる。
【００５３】
また、振動部６０は、任意の個数の圧電振動子を用いて構成したり、タッチパネル２０の全面に透明圧電素子を設けて構成したり、偏心モータを駆動信号の１周期で１回転させるようにして構成したり、することもできる。さらに、荷重検出部および振動部６０は、圧電素子を用いて構成する場合は、圧電素子を共用して荷重検出部兼振動部を構成することもできる。圧電素子は、圧力が加わると電力を発生し、電力が加えられると変形するためである。
【００５４】
また、上述したように、振動部６０は、荷重検出部も兼ねる圧電素子の出力に基づいて検出される押圧荷重が所定の基準を満たした際に、当該圧電素子を駆動することにより振動を発生するようにもできる。ここで、圧電素子の出力に基づいて検出される押圧荷重が触感を呈示する基準を満たした際とは、検出される押圧荷重が触感を呈示する基準値に達した際であってもよいし、検出される押圧荷重が触感を呈示する基準値を超えた際でもよいし、圧電素子の出力に基づいて触感を呈示する基準値が検出された際でもよい。
【００５５】
上述した実施の形態においては、タッチパネル２０を表示部の上面に重ねて配置した構成を想定して説明した。本発明による電子機器は、このような構成にすることは必須ではなく、タッチパネル２０と表示部とを離間した構成にすることもできる。しかしながら、タッチパネル２０を表示部の上面に重ねて配置した構成とする方が、表示される画像と発生する振動との対応関係を、操作者に容易に認識させることができる。
【００５６】
また、本実施の形態の説明における表示部およびタッチパネル２０は、表示部と接触検出部との両機能を共通の基板に持たせる等により、一体化した装置によって構成されるようにしてもよい。このように表示部と接触検出部との両機能を一体化した装置の構成の一例としては、液晶パネルが有するマトリクス状配列の画素電極群に、フォトダイオード等の複数の光電変換素子を規則的に混在させたものを挙げることができる。この装置は、液晶パネル構造によって画像を表示する一方で、パネル表面の所望位置をタッチ入力するペンの先端で液晶表示用のバックライトの光を反射し、この反射光を周辺の光電変換素子が受光することによって、タッチ位置を検出することができる。
【００５７】
なお、振動部６０は、振動モータ（偏心モータ）などに基づいて電子機器を振動させることにより、タッチパネル２０を間接的に振動させるように構成してもよいし、タッチパネル２０に圧電素子を配設することにより、タッチパネル２０を直接的に振動させるように構成してもよい。
【符号の説明】
【００５８】
１      電子機器
１０    筐体
１０ａ  ベゼル
１０ｂ  上部筐体
１０ｃ  下部筐体
１１    通気孔
１２    支持部
２０    タッチパネル
３０    弁
３１    粘着テープ
４０    防塵フィルタ
５０    封止部材
６０    振動部
【図１】
0005611078.tif 000002
【図２】
0005611078.tif 000003
【図３】
0005611078.tif 000004
【図４】
0005611078.tif 000005
【図５】
0005611078.tif 000006
【図６】
0005611078.tif 000007
【図７】
0005611078.tif 000008
【図８】
0005611078.tif 000009